(57)【特許請求の範囲】
【請求項１】
電子部品が搭載された基板をケースに収めた基板ボックスにおいて、
前記基板を載置する載置面を有し、前記ケースに収められる取付ユニットと、
前記ケースの内部で拡張して前記取付ユニットの前記載置面の裏面を前記ケースの内壁面に密接させる拡張手段とを備え、
前記ケースが両端部に開口を設けた筒状を成し、前記拡張手段を前記ケースの両端部のそれぞれの近傍に配置したことを特徴とする基板ボックス。
【請求項２】
電子部品が搭載された基板をケースに収めた基板ボックスにおいて、
前記基板を載置する載置面を有し、前記ケースに収められる取付ユニットと、
前記ケースの内部で拡張して前記取付ユニットの前記載置面の裏面を前記ケースの内壁面に密接させる拡張手段とを備え、
互いに対向させて前記ケースの内部に収められる２つの前記取付ユニットを備え、
前記拡張手段は、２つの前記取付ユニットの間で拡張し、前記取付ユニットのそれぞれの前記載置面の裏面を前記ケースの内壁面に密接させる、ことを特徴とする基板ボックス。
【請求項３】
電子部品が搭載された基板をケースに収めた基板ボックスにおいて、
前記基板を載置する載置面を有し、前記ケースに収められる取付ユニットと、
前記ケースの内部で拡張して前記取付ユニットの前記載置面の裏面を前記ケースの内壁面に密接させる拡張手段とを備え、
前記拡張手段は、前記ケースの内壁面と前記取付ユニットの間で拡張し、前記取付ユニットの前記載置面の裏面を前記ケースの内壁面に密接させる、ことを特徴とする基板ボックス。
【請求項４】
電子部品が搭載された基板をケースに収めた基板ボックスにおいて、
前記基板を載置する載置面を有し、前記ケースに収められる取付ユニットと、
前記ケースの内部で拡張して前記取付ユニットの前記載置面の裏面を前記ケースの内壁面に密接させる拡張手段とを備え、
前記載置面に沿って設けられて前記ケースの内壁面に接する側壁を有することを特徴とする基板ボックス。
【請求項５】
前記ケースの両端部のそれぞれの前記開口を塞ぐ閉塞体と、当該閉塞体と前記開口の隙間をシールするパッキンとを備えることを特徴とする請求項１に記載の基板ボックス。
【発明の詳細な説明】
【技術分野】
【０００１】
本発明は、電子部品を搭載した基板をケースの内部に収めた基板ボックスに関する。
【背景技術】
【０００２】
従来、道路灯や街路灯等の照明装置では、光源部を収容する器具本体を支柱に取り付けて設置されている。また、近年、光源部がＬＥＤ等の発光素子を備えた照明装置が実用化されている（例えば、特許文献１参照）。この種の照明装置では、商用電力を電力変換して光源部の発光素子に供給する電源ボックスが支柱に内設されている。
【先行技術文献】
【特許文献】
【０００３】
【特許文献１】特開２００８−２１８１８２号公報
【発明の概要】
【発明が解決しようとする課題】
【０００４】
電源ボックスは、一般に、電力変換をする電源回路が実装された基板をケースに収めて構成される。ケースへの基板の固定は、最も簡単には、ケースに基板をネジ等で直に固定する態様が考えられる。
しかしながら、端部のみが開口した筒状にケースが構成されている場合、基板はケースの端部開口から挿入して内部に収めることとなるが、内部に配置した基板をねじ止めすることは困難であり組み立て性が非常に悪い。
そこで、電源ボックスに、ケース内部での掛止構造を有した取付ユニットを設け、この取付ユニットに基板を取り付けた後、当該取付ユニットをケースに挿入して掛止させる構成とすれば組み立ては容易となる。
【０００５】
しかしながら、基板の電源回路の発熱をケースに伝えて放熱する場合、基板とケースの間に取付ユニットが介在する分だけ放熱性が悪く、電源回路を構成する電子部品の寿命が短くなるなどの悪影響を伴う恐れがある。特に、光源部が備えるＬＥＤが高出力化するほど電源ボックスに要求される電源容量も大きくなるため放熱の問題は顕著になる。
このような放熱の問題は、照明装置の電源ボックスに限ったことではなく、放熱を要する電子部品を搭載した基板をケースの内部に収めた基板ボックス全般に共通するものである。
【０００６】
本発明は上記の課題を解決するためになされたものであり、良好な組み立て性を有しつつ、ケース内に収めた基板からの熱を効率よく放熱できる基板ボックスを得ることを目的とする。
【課題を解決するための手段】
【０００７】
上記目的を達成するために、本発明は、電子部品が搭載された基板をケースに収めた基板ボックスにおいて、前記基板を載置する載置面を有し、前記ケースに収められる取付ユニットと、前記ケースの内部で拡張して前記取付ユニットの前記載置面の裏面を前記ケースの内壁面に密接させる拡張手段とを備え、前記ケースが両端部に開口を設けた筒状を成し、前記拡張手段を前記ケースの両端部のそれぞれの近傍に配置したことを特徴とする。
【０００９】
また、本発明は、電子部品が搭載された基板をケースに収めた基板ボックスにおいて、前記基板を載置する載置面を有し、前記ケースに収められる取付ユニットと、前記ケースの内部で拡張して前記取付ユニットの前記載置面の裏面を前記ケースの内壁面に密接させる拡張手段とを備え、互いに対向させて前記ケースの内部に収められる２つの前記取付ユニットを備え、前記拡張手段は、２つの前記取付ユニットの間で拡張し、前記取付ユニットのそれぞれの載置面の裏面を前記ケースに密接させる、ことを特徴とする。
【００１０】
また、本発明は、電子部品が搭載された基板をケースに収めた基板ボックスにおいて、前記基板を載置する載置面を有し、前記ケースに収められる取付ユニットと、前記ケースの内部で拡張して前記取付ユニットの前記載置面の裏面を前記ケースの内壁面に密接させる拡張手段とを備え、前記拡張手段は、前記ケースの内壁面と前記取付ユニットの間で拡張し、前記取付ユニットの前記載置面の裏面を前記ケースの内壁面に密接させる、ことを特徴とする。
【００１１】
また、本発明は、電子部品が搭載された基板をケースに収めた基板ボックスにおいて、前記基板を載置する載置面を有し、前記ケースに収められる取付ユニットと、前記ケースの内部で拡張して前記取付ユニットの前記載置面の裏面を前記ケースの内壁面に密接させる拡張手段とを備え、前記載置面に沿って設けられて前記ケースの内壁面に接する側壁を有することを特徴とする。
【００１２】
また、本発明は、上記基板ボックスにおいて、前記両端部のそれぞれの前記開口を塞ぐ閉塞体と、当該閉塞体と前記開口の隙間をシールするパッキンとを備えることを特徴とする。
【発明の効果】
【００１３】
本発明によれば、拡張手段が拡張して、前記取付ユニットの前記載置面の裏面を前記ケースに密接させている。これにより、ケースに対してねじ止め作業を行うこと無しに基板をケース内に収めることが可能になって、良好な組み立て性を確保できるうえ、ケース内に収めた基板からの熱を効率よく放熱できる。
【図面の簡単な説明】
【００１４】
【図１】本発明の第１実施形態に係る電源ボックスを有する道路照明灯の側面図である。
【図２】電源ボックスの分解斜視図である。
【図３】電源ボックスのケース内を長手方向の外側から透視した透視図である。
【図４】図３のＩＩＩ−ＩＩＩ矢視断面図である。
【図５】図３のＩＶ−ＩＶ矢視断面図である。
【図６】拡張手段により連結された一対の取付ユニットの斜視図である。
【図７】拡張手段により連結された一対の取付ユニットの正面図である。
【図８】拡張手段により連結された一対の取付ユニットの側面図である。
【図９】取付ユニットの斜視図である。
【図１０】本発明の第２実施形態に係る電源ボックスのケース内を長手方向の外側から透視した透視図である。
【発明を実施するための形態】
【００１５】
以下、本発明の実施形態について図面を参照して説明する。
［第１実施形態］
図１は本発明の第１実施形態に係る電源ボックス１Ａを有する道路照明灯５０の側面図である。
図１において、道路照明灯５０は、道路脇に立設されるポール５１と、ポール５１の上端に取り付けられて道路を照らす照明器具５２と、ポール５１内に設けられて照明器具５２に電力を供給する基板ボックスとしての電源ボックス１Ａと、電源ボックス１Ａに対応するポール５１の部位に形成した開口を開閉する扉５３とを備えている。
照明器具５２は、ＬＥＤ光源部を光源に有している。
【００１６】
電源ボックス１Ａは、扉５３を開くことで、ポール５１の内壁に対して着脱することが可能になっている。
電源ボックス１Ａは、ポール５１内の下端側に設けられ、商用電源（図示せず）から受けた電力を、照明器具５２に用いるのに適した電力に変換して出力する。
電源ボックス１Ａには、受電用電源線４５、及び供給用電源線４６のそれぞれが接続されている。
詳細には図示しないが、受電用電源線４５は、商用電源から延びる電源ケーブル（図示せず）に接続され、商用電源からの電力を電源ボックス１Ａで受けるためのものである。
また、供給用電源線４６は、照明器具５２に電力を供給するためのものであり、ポール５１内を上方に引き回されて照明器具５２に接続されている。
【００１７】
図２は電源ボックス１Ａの分解斜視図、図３は電源ボックス１Ａのケース２内を長手方向の外側から透視した透視図、図４は図３のＩＶ−ＩＶ矢視断面図、図５は図３のＶ−Ｖ矢視断面図である。
図２〜図５において、電源ボックス１Ａは、基板６Ａ，６Ｂをケース２に収めた構成を有する。
より詳しくは、電源ボックス１Ａは、両端部に開口を設けた筒状のケース２と、それぞれ電子部品７が設けられてケース２に収められる２つの基板６Ａ，６Ｂと、ケース２の内部に収められる２つの取付ユニット１０Ａ，１０Ｂのそれぞれとを備えている。
【００１８】
ここでは、各基板６Ａ，６Ｂに搭載される電子部品７は、電力供給用の部品である。
２つの取付ユニット１０Ａ，１０Ｂのそれぞれは、載置面１１ａを有しており、後述するように、取付ユニット１０Ａの載置面１１ａには、基板６Ａが搭載され、取付ユニット１０Ｂの載置面１１ａには、基板６Ｂが搭載される。
【００１９】
また、電源ボックス１Ａは、ケース２の内部で拡張して、取付ユニット１０Ａ，１０Ｂの載置面１１ａの裏面をケース２に密接させる拡張手段２０Ａと、図４及び図５に示されるように、基板６Ａ，６Ｂを、取付対象となる取付ユニット１０Ａ，１０Ｂに固定するための締着固定部材４０とを備えている。
さらに、電源ボックス１Ａは、ケース２の両端部のそれぞれに設けられ、ケース２の開口を塞ぐ閉塞体３０と、閉塞体３０とケース２の開口の隙間をシールするパッキン３１と、閉塞体３０を、パッキン３１を介してケース２に固定するネジ３２とを備える。
【００２０】
ケース２は、例えば、アルミ合金などの金属を材料として、押し出し成型により作製される。ケース２は、長手方向に直交する断面の外形形状が概略正方形であるケース本体部３と、ケース本体部３の４つの外壁面のうち、３つの外壁面から突出される複数の放熱フィン４とを備えている。
複数の放熱フィン４は、ケース本体部３の長手方向の全域にわたって延在するようにケース本体部３の外周面から突出され、互いの間に所定の間隔があけられている。
なお、ケース本体部３の内壁面のうち、放熱フィン４がそれぞれ設けられて互いに対面する１対の内壁面を内壁面３ａ，３ｂとする。
放熱フィン４が設けられないケース本体部３の外壁面には、図３に示されるように、嵌合部５が、電源ボックス１Ａの設置先となるポール５１内に予め設けられたガイド５１ａと嵌め合い可能に形成されている。
基板６Ａ，６Ｂは、矩形平板状に形成されていている。基板６Ａ，６Ｂの材料としては、熱伝導性にすぐれた材料が用いられる。
【００２１】
図６は電源ボックス１Ａを構成する一対の取付ユニット１０Ａ，１０Ｂの斜視図、図７は電源ボックス１Ａを構成する一対の取付ユニット１０Ａ，１０Ｂの正面図、図８は電源ボックス１Ａを構成する一対の取付ユニット１０Ａ，１０Ｂの側面図、図９は電源ボックス１Ａを構成する取付ユニット１０Ａの斜視図である。
図６〜図９において、取付ユニット１０Ａは、例えば、ケース２と同じ材料により作製される。
取付ユニット１０Ａは、表（おもて）面側を載置面１１ａとして構成される矩形平板状の取付本体部１１と、載置面１１ａの長手方向の両側に設けられる被押圧部１２と、載置面１１ａの長辺縁部に沿って長手方向に延在する側壁１４（取付本体部１１の補強リブ）とを備えている。
取付本体部１１の外形は、基板６Ａの外形に対応する矩形形状となっている。
また、取付本体部１１の四隅には、図６に示されるように、ネジ挿通穴１１ｂが形成されている。
【００２２】
また、被押圧部１２は、取付本体部１１の載置面１１ａに垂直に突出される縦壁部１２ａと、縦壁部１２ａの先端から縦壁部１２ａに垂直に突出される連結部１２ｂとを有する。
縦壁部１２ａは、載置面１１ａの短辺縁部の全域から突出され、載置面１１ａの短辺方向に一致する方向の幅が、突出方向の所定の位置でステップ状に狭められている。
一対の被押圧部１２の連結部１２ｂは、互いの先端を逆方向に向けて縦壁部１２ａから突出されている。また、連結部１２ｂには、図９に示されるように、貫通穴１３が、穴方向を取付本体部１１の表裏両面に直交する方向に一致させて形成されている。また、一対の連結部１２ｂの先端間の距離は、ケース２の長手方向の両端間の長さよりわずかに短くされている。
【００２３】
側壁１４は、載置面１１ａの長辺縁部の全域から突出するように設けられている。
これにより、載置面１１ａを囲む壁部が、一対の側壁１４と縦壁部１２ａにより構成される。また、側壁１４は、被押圧部１２が押圧されたときに、取付本体部１１が撓むのを防止する機能を有する。
なお、取付ユニット１０Ｂは、取付ユニット１０Ａと同様の構成を有している。
【００２４】
拡張手段２０Ａは、軸部及び頭部を有するボルト２１と、軸部に螺合される一対の調整ナット２２とを備えている。
締着固定部材４０は、図４及び図５に示されるように、皿ネジ４１と、皿ネジ４１に螺合されるナット４２と、スペーサとしての巻ブッシュ（図示せず）とを備えている。
【００２５】
次いで、電源ボックス１Ａの組み立て構造の詳細について説明する。
電子部品７が表面に取り付けられた基板６Ａは、その裏面が載置面１１ａと対向するように配置されている。そして、締着固定部材４０が、取付本体部１１の４隅に形成したネジ挿通穴１１ｂに対応する位置にそれぞれ設けられて、図５に示されるように、基板６Ａを載置面１１ａに対して隙間をあけて固定している。
【００２６】
各締着固定部材４０による基板６Ａの載置面１１ａへの固定構造は以下の通りである。巻ブッシュは、自身の穴を取付本体部１１のネジ挿通穴１１ｂに合わせ、載置面１１ａ及び基板６Ａに挟まれるように配置される。これにより、基板６Ａが、巻ブッシュを介して載置面１１ａに支持されている。また、皿ネジ４１が、取付ユニット１０Ａの載置面１１ａの裏面側からネジ挿通穴１１ｂに通されて、さらに巻ブッシュ、及び基板６Ａを貫通している。また、ナット４２が巻ブッシュの端面との間に基板６Ａを挟みこむように皿ネジ４１に締め付けられている。これにより、基板６Ａが、巻ブッシュを介して載置面１１ａに固定される。
【００２７】
また、熱伝導シート１８が、図５に示されるように、基板６Ａの裏面の所定部位と載置面１１ａとに挟まれるように設けられて、基板６Ａの裏面及び載置面１１ａに密接されている。熱伝導シート１８は、耐熱性に優れ、かつ絶縁性を有するシリコン樹脂を材料として作製される。基板６Ａが、熱伝導シート１８を介して取付ユニット１０Ａに熱的に結合され、基板６Ａから取付ユニット１０Ａへの良好な熱伝導性が確保される。
とりわけ、熱伝導シート１８は、発熱の大きな電子部品７の搭載箇所に対応する基板６Ａの裏面の部位と載置面１１ａとの間に設けられる。
なお、同様に、基板６Ｂが締着固定部材４０によって、取付ユニット１０Ｂに固定されている。
【００２８】
さらに、２つの取付ユニット１０Ａ，１０Ｂは、取付本体部１１の長手方向をケース本体部３の長手方向に一致させて、ケース２の内部に収められている。また、２つの取付ユニット１０Ａ，１０Ｂは、２つの取付ユニット１０Ａ，１０Ｂの載置面１１ａの裏面のそれぞれを、ケース２の対面する内壁面３ａ，３ｂのそれぞれに当接させて配置されて、互いの間に間隔があけられている。
これにより、一方の取付ユニット１０Ａに取り付けられた一方の基板６Ａと、他方の取付ユニット１０Ｂに取り付けられた他方の基板６Ｂが対面配置される。
また、２つの取付ユニット１０Ａ，１０Ｂの一方の連結部１２ｂが、ケース２の長手方向の一端部の近傍に配置されて互いに対向し、２つの取付ユニット１０Ａ，１０Ｂの他方の連結部１２ｂが、ケース２の長手方向の他端部の近傍に配置されて互いに対向している。
また、取付ユニット１０Ａ，１０Ｂの側壁１４は、ケース２の内壁面のうち、内壁面３ａ，３ｂに直交して互いに対面する一対の内壁面に接しており、側壁１４からケース２への良好な熱伝導性が確保されている。
【００２９】
また、拡張手段２０Ａが、ケース２の両端部のそれぞれの近傍に設けられて、互いに対向する連結部１２ｂを以下に説明するように連結している。
以下、一方の拡張手段２０Ａによる一対の連結部１２ｂ間の連結構造について説明する。
図３〜図５において、ボルト２１の軸部が、一対の連結部１２ｂの貫通穴１３のそれぞれに挿通されている。また、一対の調整ナット２２が、一対の連結部１２ｂの間に配置されている。さらに、一方の調整ナット２２とボルト２１の頭部との間に一方の連結部１２ｂが締着固定されている。
【００３０】
また、他方の調整ナット２２が、一方の調整ナット２２から離れる方向に締められて、他方の連結部１２ｂを押し込んでいる。このとき、２つの取付ユニット１０Ａ，１０Ｂの載置面１１ａの裏面が、ケース２の内壁面３ａ，３ｂに密接するまで、他方の調整ナット２２が締められている。即ち、取付ユニット１０Ａ，１０Ｂの載置面１１ａの裏面がケース２に密接されるまで、取付ユニット１０Ａと取付ユニット１０Ｂとの間に位置する拡張手段２０Ａの部位の距離が拡張されている。
同様に、拡張手段２０Ａが、取付本体部１１の長手方向の他側に設けられており、２つの取付ユニット１０Ａ，１０Ｂの載置面１１ａの裏面を、ケース２の内壁面３ａ，３ｂに密接させている。
拡張手段２０Ａにより連結された取付ユニット１０Ａ，１０Ｂは、以上のようにケース２の内壁面３ａ，３ｂに密接された状態でケース２内に固定される。
【００３１】
さらに、図５に示されるように、閉塞体３０が、パッキン３１を介してケース２の開口を塞ぐように配置され、閉塞体３０が、ネジ３２によりケース２の端面に締着固定されている。パッキン３１により、閉塞体３０とケース２の開口の隙間がシールされている。
なお、一方のケース２の開口を塞ぐ閉塞体３０には、コネクタ（図示せず）が挿通される穴部が設けられ、一方のケース２の開口を塞ぐパッキン３１の中央側の部位には、コネクタを接続するためのコネクタ取付部３１ａが設けられている。コネクタには、前述の受電用電源線４５、及び供給用電源線４６のそれぞれが接続されている。
【００３２】
また、コネクタ取付部３１ａから基板６Ａ，６Ｂまで延びる延長電源線（図示せず）が、受電用電源線４５、及び供給用電源線４６のそれぞれに対応させて設けられている。コネクタをコネクタ取付部３１ａに結合することで、受電用電源線４５、及び供給用電源線４６のそれぞれに、延長電源線のそれぞれが接続されて、ケース２の内外の間で電力授受を行うことが可能になっている。
なお、コネクタとコネクタ取付部３１ａは、ケース２内外に設けた電源線を互いに接続するものによらず、ケース２の内外に設けた通信線を互いに接続するものとして用いることで、ケース２の内外で通信を行うことが可能になる。
【００３３】
次いで、電源ボックス１Ａの組み立て手順について説明する。
まず、作業者は、取付ユニット１０Ａのネジ挿通穴１１ｂのそれぞれに、皿ネジ４１を通し、各皿ネジ４１に巻ブッシュを嵌める。さらに、作業者は、基板６Ａに皿ネジ４１の先端側を通し、基板６Ａから突出した皿ネジ４１の先端からナット４２を螺合させて締め付ける。これにより、基板６Ａが取付ユニット１０Ａの載置面１１ａに巻ブッシュを介して予め固定される。
同様に、作業者は、基板６Ｂを取付ユニット１０Ｂに固定しておく。
【００３４】
次いで、作業者は、取付ユニット１０Ａの一方の連結部１２ｂと、取付ユニット１０Ｂの一方の連結部１２ｂとを、以下に説明するように拡張手段２０Ａにより連結する。
取付ユニット１０Ａの連結部１２ｂの貫通穴１３に、ボルト２１の軸部を挿通し、さらに、一対の調整ナット２２を当該軸部に螺合させる。
さらに、２つの取付ユニット１０Ａ，１０Ｂの載置面１１ａが、基板６Ａ，６Ｂを介して対向するように、２つの取付ユニット１０Ａ，１０Ｂを向き合わせ、ボルト２１の軸部を、取付ユニット１０Ｂの連結部１２ｂの貫通穴１３に挿通させる。
【００３５】
次いで、取付ユニット１０Ａの連結部１２ｂを、一方の調整ナット２２とボルト２１の頭部とで挟み込むように、一方の調整ナット２２を締め付けて、ボルト２１を取付ユニット１０Ａの連結部１２ｂに固定する。これにより、２つの取付ユニット１０Ａ，１０Ｂが、拡張手段２０Ａにより連結される。
同様に、作業者は、取付ユニット１０Ａの他方の連結部１２ｂと、取付ユニット１０Ｂの他方の連結部１２ｂとを、拡張手段２０Ａにより連結する。
また、２つの取付ユニット１０Ａ，１０Ｂの載置面１１ａの裏面間の距離が、ケース本体部３の内壁面３ａ，３ｂ間の距離より短くなるように、他方の調整ナット２２の位置を調整して取付ユニット１０Ｂの位置をずらしておく。
【００３６】
次いで、拡張手段２０Ａを介して連結された２つの取付ユニット１０Ａ，１０Ｂを、長手方向の一端からケース２内にスライド移動させて、ケース２内に収める。このとき、２つの取付ユニット１０Ａ，１０Ｂの載置面１１ａの裏面のそれぞれが、ケース２の内壁面３ａ，３ｂのそれぞれと対面するように、取付ユニット１０Ａ，１０Ｂの向きを決めている。また、取付ユニット１０Ａ，１０Ｂのそれぞれの一対の側壁１４は、ケース本体部３の内壁面のうち、内壁面３ａ，３ｂ間に直交して互いに対面する一対の内壁面に接するように、互いの間の距離を設定さている。これにより、側壁１４とケース２の内壁面との間が熱的に結合される。
また、２つの拡張手段２０Ａのうち、一方の拡張手段２０Ａは、ケース２の一端の開口から操作可能な位置に配置され、他方の拡張手段２０Ａは、ケース２の他端の開口から操作可能な位置に配置される。
【００３７】
次いで、他方の調整ナット２２の位置を、一方の調整ナット２２から離れる方向にずらして、取付ユニット１０Ｂを押し込む。さらに、２つの取付ユニット１０Ａ，１０Ｂの載置面１１ａの裏面が、ケース２に密接するまで、取付ユニット１０Ａ，１０Ｂの間の距離を増大させる。言い換えれば、拡張手段２０Ａを操作して、取付ユニット１０Ａと取付ユニット１０Ｂの間に位置する拡張手段２０Ａの部位の長さを拡張させることで、取付ユニット１０Ａ，１０Ｂの載置面１１ａの裏面をケース２に密接させる。このとき、取付ユニット１０Ａと取付ユニット１０Ｂの間に位置する拡張手段２０Ａの部位の長さが拡張する方向（拡張方向）は、図３中の矢印で示されるように、内壁面３ａ，３ｂの離間方向に一致する。取付ユニット１０Ａ，１０Ｂのそれぞれは、内壁面３ａ，３ｂのそれぞれに押し当てられ、安定した状態でケース２の内部に収められる。
また、ネジ３２により、閉塞体３０及びパッキン３１をケース２の両端面のそれぞれに固定することで、電源ボックス１Ａの組み立てが終了する。
【００３８】
本実施形態によれば、電子部品７が搭載された基板６Ａ，６Ｂをケース２に収めた電源ボックス１Ａにおいて、基板６Ａ，６Ｂを載置する載置面１１ａを有しケース２に収められる取付ユニット１０Ａ，１０Ｂと、ケース２の内部で拡張して取付ユニット１０Ａ，１０Ｂの載置面１１ａの裏面をケース２の内壁面に密接させる拡張手段２０Ａとを備えている。
【００３９】
したがって、電源ボックス１Ａによれば、基板６Ａ，６Ｂが取り付けられる取付ユニット１０Ａ，１０Ｂのそれぞれが、ケース２に密接されるので、効果的に基板６Ａ，６Ｂの熱を取付ユニット１０Ａ，１０Ｂを介して、ケース２の外部に放熱できる。これに伴い、電子部品７の寿命が短くなるなどの悪影響を回避できる。さらには、電源ボックス１Ａの小型化や、供給電力の増大といったニーズに対応しやすくなる。さらに、拡張手段２０Ａの拡張により取付ユニット１０Ａ，１０Ｂを押しつけて固定するので、ケース２に取付ユニット１０Ａを取付固定するための加工を施すことなく、取付ユニット１０Ａをケース２に簡単に固定できるという効果が得られる。
【００４０】
また、両端に開口を設けたケース２の両端部のそれぞれの近傍に、拡張手段２０Ａを配置したので、ケース２の開口からの拡張手段２０Ａの操作が容易となり、電源ボックス１Ａの組み立て性が、一層良好なものとなる。
【００４１】
また、２つの取付ユニット１０Ａ，１０Ｂが、互い対向してケース２の内部に収められ、拡張手段２０Ａが、２つの取付ユニット１０Ａ，１０Ｂの間で拡張し、取付ユニット１０Ａ，１０Ｂのそれぞれの載置面１１ａの裏面をケース２に密接させるように構成されている。これにより、取付ユニット１０Ａ，１０Ｂに共通する拡張手段２０Ａの操作により、取付ユニット１０Ａ，１０Ｂをケース２に密接させることができるので、取付ユニット１０Ａ，１０Ｂをケース２に固定する際の作業負荷を軽減できる。
また、例えば、基板６Ａ，６Ｂを一枚基板で作製したり、つなげて配置したりした場合には、基板６Ａ，６Ｂを取り付ける取付ユニットの長さも長くなって、ケース２の長さが大型化してしまう。一方、本発明では、２つの取付ユニット１０Ａ，１０Ｂを対面させて設けたので、取付ユニット１０Ａ，１０Ｂに長さの短いものを採用できる。即ち、ケース２の長さを短くできるので、電源ボックス１Ａ自身の長さを短くすることが可能となる。
【００４２】
また、側壁１４が、載置面１１ａに沿って設けられてケース２の内壁面に接するので、ケース２の両端部のそれぞれの近傍に設けた拡張手段２０Ａにより、取付ユニット１０Ａ，１０Ｂをケース２に押し付けた場合でも、拡張手段２０Ａの間に位置する取付ユニット１０Ａ，１０Ｂの部位が、撓むことを防止できる。これにより、取付ユニット１０Ａ，１０Ｂの載置面１１ａの裏面とケース２との密接状態が保たれ、取付ユニット１０Ａ，１０Ｂを介して基板６Ａ，６Ｂの放熱性能の低下を防止できる。
【００４３】
また、側壁１４が、ケース２の内壁面に接するように設けられているので、取付ユニット１０Ａ，１０Ｂを介した基板６Ａ，６Ｂの放熱性能が向上する。さらに、取付ユニット１０Ａ，１０Ｂをケース２内に挿入する際には、取付ユニット１０Ａ，１０Ｂの側壁１４が、ケース２の内壁面に沿ってケース２の長手方向に案内されるので、取付ユニット１０Ａ，１０Ｂをがたつかせることなくスムーズにケース２内に挿入させることができる。
また、閉塞体３０が、両端部のそれぞれの前記開口を塞ぐように設けられ、さらに、パッキン３１が、閉塞体３０とケース２の開口の隙間をシールするように設けられている。これにより、例えば、ポール５１内が結露しても、水滴がケース２内に侵入することが防止されるので、電子部品７を保護することができる。
【００４４】
また、側壁１４と被押圧部１２の縦壁部１２ａとにより、基板６Ａ，６Ｂが取り付けられる載置面１１ａを囲む壁部が構成されるので、基板６Ａ，６Ｂは、載置面１１ａを底部とする容器内に配置された状態となる。これによって、例えば、樹脂により基板６Ａ，６Ｂを封止する場合、溶融された状態の樹脂からなる充填剤を載置面１１ａ上に流し込んで基板６Ａ，６Ｂを覆うときに、充填剤が取付ユニット１０Ａ，１０Ｂの外側に流れ出すことを防止できる。
【００４５】
［第２実施形態］
図１０は本発明の第２実施形態に係る電源ボックス１Ｂのケース２内を長手方向の外側から透視した透視図である。
なお、上記第１実施形態と同一または相当部分には同一符号を付し、その説明を省略する。
図１０において、電源ボックス１Ｂは、基板６Ｂ、及び取付ユニット１０Ｂが省略され、拡張手段２０Ａに代え、拡張手段２０Ｂを有する他は、電源ボックス１Ａと同様に構成されている。
拡張手段２０Ｂは、ボルト２１、及び１つの調整ナット２２により構成されている。
【００４６】
基板６Ａが取り付けられた取付ユニット１０Ａは、載置面１１ａの裏面を、ケース２の対面する内壁面３ａ，３ｂのうちの一方の内壁面３ａに向けて、ケース２内に収納されている。
ボルト２１は、軸部を連結部１２ｂに形成した貫通穴１３に挿通されて、ケース２の他方の内壁面３ｂに先端を当接させた状態に配置される。
また、調整ナット２２は、連結部１２ｂを介してボルト２１の頭部と相対するように軸部に螺合されている。なお、ボルト２１の長さは、ボルト２１の軸方向をケース２の内壁面３ａ，３ｂに直交させ、軸部の先端をケース２の他方の内壁面３ｂに当接させた状態で、取付ユニット１０Ａをケース２の一方の内壁面３ａに押し当てても、連結部１２ｂがボルト２１の頭部に当たらない長さとなっている。
調整ナット２２は、取付ユニット１０Ａの載置面１１ａの裏面がケース２の一方の内壁面３ａに押し込まれるまで、ボルト２１の頭部に向かう方向に締められている。即ち、取付ユニット１０Ａの載置面１１ａの裏面がケース２の内壁面に密接されるまで、ボルト２１の軸部の先端から連結部１２ｂまでの距離が拡張されている。
これにより、取付ユニット１０Ａは、載置面１１ａの裏面がケース２の内壁面に密接した状態で、ケース２内に収められる。
【００４７】
次いで、電源ボックス１Ｂの組み立て手順について説明する。
作業者は、第１実施形態と同様に、基板６Ａを、取付ユニット１０Ａに締着固定部材４０を用いて固定しておく。
次いで、取付ユニット１０Ａの一方及び他方の連結部１２ｂのそれぞれに、ボルト２１を挿通させ、さらに、調整ナット２２を軸部に螺合する。
次いで、取付ユニット１０Ａを、長手方向の一端からケース２内にスライド移動させて、ケース２の内部に収める。
【００４８】
次いで、調整ナット２２の位置を、ボルト２１の頭部に向かう方向にずらして連結部１２ｂに当接させて、取付ユニット１０Ａを押し込む。
取付ユニット１０Ａの載置面１１ａの裏面が、ケース２の内壁面３ａに押し当てられて密接し、ボルト２１の軸部の先端が、ケース２の内壁面３ｂに押し当てられるまで、調整ナット２２の位置をずらす。言い換えれば、ケース２の内壁面３ｂと取付ユニット１０Ａの連結部１２ｂとの間で拡張手段２０Ｂを拡張させて、ボルト２１の軸部の先端と取付ユニット１０Ａの載置面１１ａの裏面のそれぞれを、内壁面３ａ，３ｂのそれぞれに密接させる。このとき、ボルト２１の軸部の先端から連結部１２ｂまでの距離が拡張する方向（拡張方向）は、図１０中の矢印で示されるように、内壁面３ａ，３ｂの離間方向に一致する。
このように、取付ユニット１０Ａは、内壁面３ａに押し当てられて安定した状態でケース２の内に収められる。
以降の組み立て手順は、電源ボックス１Ａと同様である。
【００４９】
本実施形態によれば、電子部品７が設けられた基板６Ａをケース２に収めた電源ボックス１Ｂにおいて、基板６Ａを載置する載置面１１ａを有し、ケース２に収められる取付ユニット１０Ａと、ケース２の内部で拡張して取付ユニット１０Ａの載置面１１ａの裏面をケース２の内壁面に密接させる拡張手段２０Ｂとを備えている。より詳しくは、拡張手段２０Ｂは、ケース２の内壁面３ｂと取付ユニット１０Ａの間で拡張して、取付ユニット１０Ａの載置面１１ａの裏面をケース２の内壁面に密接させる構成となっている。
したがって、電源ボックス１Ｂによれば、電源ボックス１Ａと同様、効果的に基板６Ａの熱を、取付ユニット１０Ａを介して、ケース２の外部に放熱できる。これに伴い、電子部品７の寿命が短くなるなどの悪影響を回避できる。さらに、拡張手段２０Ｂの拡張により取付ユニット１０Ａをケース２に押しつけて固定するので、ケース２に取付ユニット１０Ａを取付固定するための加工を施すことなく、拡張手段２０Ｂにより、取付ユニット１０Ａをケース２に簡単に取付固定できる。
【００５０】
なお、上述の各実施形態では、拡張手段２０Ａ，２０Ｂは、筒状のケース２の両端部のそれぞれの近傍に設けるものとして説明したが、拡張手段２０Ａ，２０Ｂは、筒状のケース２の両端部のそれぞれの近傍に設けるものに限定されない。拡張手段２０Ａ，２０Ｂは、自身の拡張により取付ユニット１０Ａ（１０Ｂ）をケース２に固定するものであれば、設置位置を限定されない。
また、拡張手段２０Ａ，２０Ｂは、ボルト２１と調整ナット２２を有し、締着力により取付ユニット１０Ａ（１０Ｂ）の載置面１１ａの裏面をケース２の内壁面３ａ，３ｂに密接させるものとして説明した。しかし、拡張手段は、このものに限定されず、例えば、弾性を有するばね等を用いたものでもよい。一対の取付ユニット１０Ａ，１０Ｂをケース２に設ける場合には、ケース２内に配置した２つの取付ユニット１０Ａ，１０Ｂの間に縮設したばねを拡張させ、ばねの弾性力により取付ユニット１０Ａ，１０Ｂの載置面１１ａの裏面をケース２の内壁面に密接させるようにすればよい。また、一つの取付ユニット１０Ａをケース２に設ける場合には、ケース２内に配置した取付ユニット１０Ａの連結部１２ｂとケース２の内壁面３ｂとの間に縮設したばねを拡張させ、ばねの弾性力により取付ユニット１０Ａの載置面の裏面をケース２に密接させるようにすればよい。
【００５１】
また、基板ボックスは、ＬＥＤ光源体を光源とし、道路を照らす照明器具５２に電力を供給する電源ボックス１Ａ，１Ｂであると説明したが、照明器具５２に電力を供給する電源ボックス１Ａ，１Ｂに限定されない。基板ボックスは、電源供給用の電子部品に限らず、発熱源となる電子部品を搭載する基板が取り付けられた取付ユニットが、ケースに収められる構造のものであれば、本発明を適用できる。
【符号の説明】
【００５２】
１Ａ，１Ｂ  電源ボックス（基板ボックス）
２  ケース
６Ａ，６Ｂ  基板
１０Ａ，１０Ｂ  取付ユニット
１１ａ  載置面
１４  側壁
２０Ａ，２０Ｂ  拡張手段
３０  閉塞体
３１  パッキン
【図１】
0005982831.tif 000002
【図２】
0005982831.tif 000003
【図３】
0005982831.tif 000004
【図４】
0005982831.tif 000005
【図５】
0005982831.tif 000006
【図６】
0005982831.tif 000007
【図７】
0005982831.tif 000008
【図８】
0005982831.tif 000009
【図９】
0005982831.tif 000010
【図１０】
0005982831.tif 000011